(57)【要約】【課題】保安の確保を容易に行うことができ、使用者の利便性を高くすることができるようにする。【解決手段】本発明は、制御側携帯通信端末１０ａ及び被制御側携帯通信端末１０ｂの遠隔制御プログラムが、当該制御側携帯通信端末１０ａの電話番号及び被制御側携帯通信端末１０ｂの電話番号が含まれた連結情報を中継サーバ３５に伝送するステップと、中継サーバ３５が、受信した連結情報を比較し、連結情報が一致する場合に、制御側携帯通信端末１０ａと被制御側携帯通信端末１０ｂとの間の通信路を開設するステップと、被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送するステップとを有する。【選択図】図３
2015115951.tif 000002
【特許請求の範囲】
【請求項１】
携帯通信網２１の移動局である携帯通信端末１０間の遠隔制御方法において、
無線網２０を介して携帯通信端末１０と連結される中継サーバ３５が構成され、
制御側携帯通信端末１０ａ及び被制御側携帯通信端末１０ｂにそれぞれ搭載された遠隔制御プログラムが実行されるステップと、
制御側携帯通信端末１０ａの遠隔制御プログラムが、当該制御側携帯通信端末１０ａの電話番号及び被制御側携帯通信端末１０ｂの電話番号が含まれた連結情報を、無線網２０を介して中継サーバ３５に伝送するステップと、
被制御側携帯通信端末１０ｂの遠隔制御プログラムが、当該被制御側携帯通信端末１０ｂの電話番号及び制御側携帯通信端末１０ａの電話番号が含まれた連結情報を、無線網２０を介して中継サーバ３５に伝送するステップと、
中継サーバ３５が、制御側携帯通信端末１０ａ及び被制御側携帯通信端末１０ｂからそれぞれ受信した連結情報を比較し、連結情報が一致する場合に、制御側携帯通信端末１０ａと被制御側携帯通信端末１０ｂとの間の通信路を開設するステップと、
被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送するステップと、
から成ることを特徴とする携帯通信端末搭載プログラムを用いた携帯通信端末間の遠隔制御方法。
【請求項２】
携帯通信網２１の移動局である携帯通信端末１０間の遠隔制御方法において、
無線網２０を介して携帯通信端末１０と連結される中継サーバ３５が構成され、携帯通信網２１は発信番号伝送サービスを提供し、
制御側携帯通信端末１０ａ及び被制御側携帯通信端末１０ｂにそれぞれ搭載された遠隔制御プログラムが実行されるステップと、
制御側携帯通信端末１０ａの遠隔制御プログラムが、被制御側携帯通信端末１０ｂの電話番号が含まれた連結情報を、携帯通信網２１を介して中継サーバ３５に伝送するステップと、
被制御側携帯通信端末１０ｂの遠隔制御プログラムが、制御側携帯通信端末１０ａの電話番号が含まれた連結情報を、携帯通信網２１を介して中継サーバ３５に伝送するステップと、
中継サーバ３５が、制御側携帯通信端末１０ａ及び被制御側携帯通信端末１０ｂからそれぞれ受信した連結情報に、携帯通信網２１から伝送された当該発信番号をそれぞれ加え、連結情報を更新し、更新された連結情報を比較し、連結情報が一致する場合に、制御側携帯通信端末１０ａと被制御側携帯通信端末１０ｂとの間の通信路を開設するステップと、
被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送するステップと、
から成ることを特徴とする携帯通信端末搭載プログラムを用いた携帯通信端末間の遠隔制御方法。
【発明の詳細な説明】
【技術分野】
【０００１】
本発明は、携帯通信網２１の移動局である携帯通信端末１０間の遠隔制御方法に関し、制御側携帯通信端末１０ａ及び被制御側携帯通信端末１０ｂにそれぞれ搭載された遠隔制御プログラムが実行され、中継サーバ３５が接続された状態で、両側の携帯通信端末１０ａ、１０ｂの遠隔制御プログラムが、電話番号が含まれた連結情報を中継サーバ３５に伝送すると、中継サーバ３５が、伝送された連結情報を介して制御側携帯通信端末１０ａと被制御側携帯通信端末１０ｂとの間の通信路を開設し、それによって、制御信号及び出力情報が伝送されるようにしたものである。
【背景技術】
【０００２】
携帯通信網２１によるデータ処理速度が飛躍的に発展し、無線ＬＡＮ２２が拡大したのに伴って、大容量の制御演算装置及び記憶装置だけでなく、高解像度のタッチスクリーン入出力装置が装着された高機能携帯通信端末１０が普及したことによって、インターネット接続及び大容量のマルチメディア情報の処理のような過去のデスクトップコンピュータ４０を用いて行われた作業が、携帯通信端末１０によって行われるようになっている。
【０００３】
いわゆる、スマートフォンと呼ばれる高機能携帯通信端末１０は、高性能制御演算装置、大容量記憶装置、及び高解像度タッチスクリーンが採用され、一般のデスクトップコンピュータ４０に適う情報処理容量及びグラフィックユーザインタフェース（ＧＵＩ：Ｇｒａｐｈｉｃ  Ｕｓｅｒ  Ｉｎｔｅｒｆａｃｅ）を提供しているので、音声通話及びショートメッセージサービス（ＳＭＳ：Ｓｈｏｒｔ  Ｍｅｓｓａｇｅ  Ｓｅｒｖｉｃｅ）に限られていた従来の携帯通信端末１０の機能を脱し、事実上、携帯型コンピュータの役割を果たしているが、このように、携帯通信端末１０の使用方式が複雑となることによって、新たな通信環境に慣れていない多くの一般使用者が、携帯通信端末１０の活用時に、困難を感じているだけでなく、操作ミスによる誤作動及びデータ損失、過度な通信料負担等の被害を受けていることも実状である。
【０００４】
ここに、高機能携帯通信端末１０を加入者として誘致した通信社、携帯通信端末１０のメーカ、有料データ及び応用プログラム等を配信する無線網２０の連係インターネット情報提供会社等が、使用者の同意の基に、携帯通信端末１０を遠隔制御することによって、高機能携帯通信端末１０の操作が不得手な一般使用者のインターネット接続及びデータ送受信方法を案内し、又は遠隔操作するだけでなく、作動誤謬及び故障に対する措置を遠隔地から行うようにした関連従来技術が挙げられる（特許文献１参照。）。
【０００５】
この特許文献１に記載された従来技術においては、図１に示されるように、インターネットと連結された特定のコンピュータ４０が、ゲートウェイサーバ３０を介して無線網２０に接続され、携帯通信端末１０を遠隔制御するようになっている。ここで、特定のコンピュータ４０とは、遠隔制御権限を有し、通信者相談員等によって操作されるコンピュータ４０であり、遠隔制御の開始前に、遠隔制御の経路となる携帯通信網２１又は無線ＬＡＮ２２の運用主体によって、遠隔制御権限が与えられるようになっているので、保安確保には有利であるが、複雑な認証及び携帯通信端末１０の使用者との同意手続きを経る必要があるので、一般使用者による自由な遠隔制御の遂行とは距離感が生じてしまう。
【０００６】
また、図２に示されるように、携帯通信端末１０間で遠隔制御を行うに当たり、制御側使用者の資格及び場所の制約をなくし、家族又は知人間の遠隔制御のように、使用者の多様な要求に答えるようにした関連従来技術が挙げられる（特許文献２参照。）。
【先行技術文献】
【特許文献】
【０００７】
【特許文献１】韓国登録特許第１０６６８５３号公報
【特許文献２】韓国公開特許第２０１１−１０９３５９号公報
【発明の概要】
【発明が解決しようとする課題】
【０００８】
ところが、特許文献２に記載された従来技術等において、携帯通信端末１０間の遠隔制御は、制御側又は被制御側の携帯通信端末１０ａ、１０ｂのうち、一方の携帯通信端末が遠隔制御を提案又は要請すると、他方の携帯通信端末がこれを受諾することによって開始されるので、保安の確保が困難であるだけでなく、使用者にとっての利便性が低く、多くの問題点があった。
【０００９】
すなわち、制御側携帯通信端末１０ａの一方的な遠隔制御の受諾要請を被制御側携帯通信端末１０ｂの使用者が無意識に受諾してしまうと、直ちに遠隔制御が開始されるので、被制御側携帯通信端末１０ｂの使用者が意図しない遠隔制御が進行する危険性が高く、これによって、個人情報が流出する等の深刻な問題が発生し得る。
【００１０】
特に、高機能携帯通信端末１０の場合、多様な応用プログラムが搭載されて実行され、持続的に無線網２０を通じた応用プログラムの更新が行われるので、応用プログラムの更新受諾を要請するメッセージが携帯通信端末１０の画面に随時出力されるだけでなく、多くのＳＮＳ（Ｓｏｃｉａｌ  Ｎｅｔｗｏｒｋ  Ｓｅｒｖｉｃｅ）の使用者の携帯通信端末１０が、該当するＳＮＳに対して常時接続状態を維持するようになっているので、ＳＮＳから受信した多様なメッセージが携帯通信端末１０の画面に随時出力され、その結果、多くの高機能携帯通信端末１０の使用者は、通常、特に疑うこともなく、習慣的に確認又は受諾を選択してしまう。したがって、このような一般使用者の携帯通信端末１０の利用習慣を悪用して、携帯通信端末１０間の遠隔制御が行われる場合、不特定多数の被制御側携帯通信端末１０ｂの使用者が深刻な被害を被ることになる。
【００１１】
そこで、携帯通信端末１０間の遠隔制御の開始に先立って、制御側携帯通信端末１０ａの使用者にＩＤ（ｉｄｅｎｔｉｆｉｃａｔｉｏｎ）及び暗証番号等の認証情報を入力させることによって、制御側携帯通信端末１０ａの適格性を徹底して確認したり、被制御側携帯通信端末１０ｂの遠隔制御受諾手続きを段階化し、各段階別に被制御側携帯通信端末１０ｂの使用者の意思を徹底して確認したりする方法が考えられるが、これらの方法においても、全体のシステムの構成、及び使用者にとっての利便性の面において、次のような様々な問題が発生し得る。
【００１２】
例えば、制御側携帯通信端末１０ａの使用者にＩＤ及び暗証番号等の認証情報の入力を要求する方法の場合、被制御側携帯通信端末１０ｂには、前記認証情報の有効性の確認を可能にするために、認証情報が記録された認証データベース３２ａが構築されていなければならないが、これは、制御側携帯通信端末１０ａの使用者と被制御側携帯通信端末１０ｂの使用者との間の事前協議を前提として実現されるものであるので、この方法は、極めて少数の人員から成る使用者集団内の遠隔制御に適用することができても、不特定多数の携帯通信端末１０の使用者間の遠隔制御への適用は根本的に不可能である。
【００１３】
特に、携帯通信端末１０の遠隔制御は、一般に、携帯通信端末１０の使用が不得手な使用者を対象として行われるので、携帯通信端末１０の使用が不得手な使用者が、自身の携帯通信端末１０を制御すべき制御側携帯通信端末１０ａの認証情報を認証データベース３２ａの形態で事前に設定して管理するというのは、実現可能性が極めて低い。
【００１４】
また、認証情報の有効性を確認するための他の方法として、携帯通信端末１０間の遠隔制御が行われる通信網上に、認証情報を確認し、制御側携帯通信端末１０ａに適格性を与えるための認証データベース３２ｂ及びその管理サーバである認証サーバ３１を構築することが考えられるが、不特定多数の携帯通信端末１０の認証情報を設定して管理するのには、莫大な費用が必要になるだけでなく、不特定多数の一般の携帯通信端末１０の使用者が、いつ使用するか分からない遠隔制御サービスのために、事前に個人情報を含めた認証情報を提供し、認証データベース３２ｂの構築に同意する煩雑な手続きを自発的に行うことも、実現可能性が極めて低い。
【００１５】
たとえ、前記不特定多数の携帯通信端末１０の認証情報が記録された認証データベース３２ｂ及び認証サーバ３１が構築されたとしても、制御側携帯通信端末１０ａが、認証サーバ３１の確認を経て、被制御側携帯通信端末１０ｂに接続しようとする過程において、被制御側携帯通信端末１０ｂが制御側携帯通信端末１０ａの適格性を認証サーバ３１に再度確認しなければならないという複雑な過程が必要となる。
【００１６】
このように、従来の携帯通信端末１０間の遠隔制御は、保安の確保が困難であるだけでなく、使用者にとっての利便性が低く、多くの問題点があるので、一般の使用者を対象として提供される携帯通信端末１０間の遠隔制御サービスを普及させることは極めて困難である。
【００１７】
本発明は、前記従来の携帯通信端末１０間の遠隔制御の問題点を解決して、保安の確保を容易に行うことができ、使用者にとっての利便性を高くすることができる携帯通信端末搭載プログラムを用いた携帯通信端末間の遠隔制御方法を提供することを目的とする。
【課題を解決するための手段】
【００１８】
本発明は、前記問題点に鑑みてなされたものであり、携帯通信網２１の移動局である携帯通信端末１０間の遠隔制御方法において、無線網２０を介して携帯通信端末１０と連結される中継サーバ３５が構成され、制御側携帯通信端末１０ａ及び被制御側携帯通信端末１０ｂにそれぞれ搭載された遠隔制御プログラムが実行されるステップと、制御側携帯通信端末１０ａの遠隔制御プログラムが、当該制御側携帯通信端末１０ａの電話番号及び被制御側携帯通信端末１０ｂの電話番号が含まれた連結情報を、無線網２０を介して中継サーバ３５に伝送するステップと、被制御側携帯通信端末１０ｂの遠隔制御プログラムが、当該被制御側携帯通信端末１０ｂの電話番号及び制御側携帯通信端末１０ａの電話番号が含まれた連結情報を、無線網２０を介して中継サーバ３５に伝送するステップと、中継サーバ３５が、制御側携帯通信端末１０ａ及び被制御側携帯通信端末１０ｂからそれぞれ受信した連結情報を比較し、連結情報が一致する場合、制御側携帯通信端末１０ａと被制御側携帯通信端末１０ｂとの間の通信路を開設するステップと、被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送するステップと、から成ることを特徴とする携帯通信端末搭載プログラムを用いた携帯通信端末間の遠隔制御方法である。
【００１９】
また、携帯通信網２１の移動局である携帯通信端末１０間の遠隔制御方法において、無線網２０を介して携帯通信端末１０と連結される中継サーバ３５が構成され、携帯通信網２１は発信番号伝送サービスを提供し、制御側携帯通信端末１０ａ及び被制御側携帯通信端末１０ｂにそれぞれ搭載された遠隔制御プログラムが実行されるステップと、制御側携帯通信端末１０ａの遠隔制御プログラムが、被制御側携帯通信端末１０ｂの電話番号が含まれた連結情報を、携帯通信網２１を介して中継サーバ３５に伝送するステップと、被制御側携帯通信端末１０ｂの遠隔制御プログラムが、制御側携帯通信端末１０ａの電話番号が含まれた連結情報を、携帯通信網２１を介して中継サーバ３５に伝送するステップと、中継サーバ３５が、制御側携帯通信端末１０ａと被制御側携帯通信端末１０ｂからそれぞれ受信した連結情報に、携帯通信網２１から伝送された当該発信番号をそれぞれ加え、連結情報を更新し、更新された連結情報を比較し、連結情報が一致する場合、制御側携帯通信端末１０ａと被制御側携帯通信端末１０ｂとの間の通信路を開設するステップと、被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送するステップと、から成ることを特徴とする携帯通信端末搭載プログラムを用いた携帯通信端末間の遠隔制御方法である。
【発明の効果】
【００２０】
本発明によれば、複雑な操作及び認証手続きがなくても、被制御側携帯通信端末１０ｂの使用者の遠隔制御の受諾意思を明らかに確認することができるので、携帯通信端末１０間の遠隔制御の遂行において、使用者にとっての利便性及び保安を同時に確保することができる。
【００２１】
また、不特定多数の携帯通信端末１０の認証情報が記録された認証データベース３２ｂ及び認証サーバ３１を事前に構築することなく、携帯通信端末１０間の遠隔制御サービスを安定的に提供するとこができるので、サービスの提供に要する費用を画期的に節減し、関連サービスを活性化することができる。
【図面の簡単な説明】
【００２２】
【図１】従来のコンピュータと携帯通信端末との間の遠隔制御方式を示す説明図である。
【図２】従来の携帯通信端末間の遠隔制御方式を示す説明図である。
【図３】本発明の実施の形態における各構成要素間の連結関係を示す図である。
【図４】本発明の実施の形態における携帯通信端末間の遠隔制御方式の流れ図である。
【図５】本発明の実施の形態における携帯通信端末間の遠隔制御方式のステップごとの携帯通信端末の画面の例示図である。
【図６】本発明の他の実施の形態における携帯通信端末間の遠隔制御方式の流れ図である。
【発明を実施するための形態】
【００２３】
以下、添付した図面に基づき、本発明の詳細な構成及び遂行過程について説明する。
【００２４】
まず、図３は、本発明の実施の形態における各構成要素間の連結関係を示す図であり、図示されているように、本発明の遠隔制御は、携帯通信網２１の移動局である携帯通信端末１０、携帯通信網２１及び無線ＬＡＮ（Ｗｉｒｅｌｅｓｓ  ＬＡＮ）２２等の、携帯通信端末１０が接続可能な無線基盤通信網を網羅する無線網２０、並びに無線網２０と連結された中継サーバ３５によって行われる。
【００２５】
また、図示してはいないが、携帯通信端末１０には、携帯通信端末１０間の遠隔制御を行うに当たって、制御信号及び画面情報を交換する遠隔制御プログラムが搭載されるが、遠隔制御プログラムは、携帯通信端末１０の運用体系の下で実行される応用プログラム（ａｐｐｌｉｃａｔｉｏｎ  ｐｒｏｇｒａｍ）、又は運用体系に含まれるプログラムモジュール等の多様な形式で搭載され得る。
【００２６】
本発明の遠隔制御は、図４に示されるように、制御側携帯通信端末１０ａ及び被制御側携帯通信端末１０ｂにそれぞれ搭載された遠隔制御プログラムが実行されるステップＳ１から開始される。
【００２７】
遠隔制御プログラムは、図５に示されるように、使用者が携帯通信端末１０のタッチスクリーン画面に具現されたアイコン１５をタッチするような操作によって実行される。この場合、本発明は、制御側携帯通信端末１０ａと被制御側携帯通信端末１０ｂとの間の遠隔制御プログラムの実行状態を前提として成立するので、被制御側携帯通信端末１０ｂにおいて、使用者の能動的な操作が伴われるように構成される。したがって、被制御側携帯通信端末１０ｂの使用者の意思に反した遠隔制御を効果的に遮断することができる。
【００２８】
遠隔制御プログラムが一旦実行されると、ステップＳ２で、制御側携帯通信端末１０ａの遠隔制御プログラムは、当該携帯通信端末１０ａ、すなわち、制御側携帯通信端末１０ａの電話番号及び被制御側携帯通信端末１０ｂの電話番号が含まれた連結情報を、無線網２０を介して中継サーバ３５に伝送し、ステップＳ３で、被制御側携帯通信端末１０ｂの遠隔制御プログラムは、当該携帯通信端末１０ｂ、すなわち、被制御側携帯通信端末１０ｂの電話番号及び制御側携帯通信端末１０ａの電話番号が含まれた連結情報を、無線網２０を介して中継サーバ３５に伝送する。
【００２９】
図５は、このような連結情報の具体的な形式を例示しているが、同図に示されるように、制御側携帯通信端末１０ａから伝送される連結情報は、自身の電話番号と遠隔制御の対象となる被制御側携帯通信端末１０ｂの電話番号とが併合された形態を有してもよく、被制御側携帯通信端末１０ｂから伝送される連結情報は、自身の電話番号と遠隔制御の主体となる制御側携帯通信端末１０ａの電話番号とが併合された形態を有してもよい。
【００３０】
自身の電話番号と相手方の電話番号とが併合された形態の連結情報は、遠隔制御プログラムによって生成されるが、自身の電話番号は、遠隔制御プログラムが携帯通信端末１０の運用体系又は記憶装置から抽出するか、又は遠隔制御プログラムの最初のインストール時に、使用者が入力する等の方式で設定されてもよく、相手方の電話番号は、遠隔制御を試みるに当たり、通話中の相手方の電話番号を遠隔制御プログラムが把握するか、又は使用者が自身の携帯通信端末１０の記憶装置に記録された電話番号リストから選択する方式で設定されてもよい。
【００３１】
すなわち、本発明は、前述されたような、通信社相談員のコンピュータ４０等の特定のコンピュータ４０による携帯通信端末１０の遠隔制御ではなく、一般使用者の携帯通信端末１０間の遠隔制御を目的とするので、家族又は知人等との間の遠隔制御を想定することができるが、この場合、一般に、遠隔制御を試みる前に音声通話が先行されるか、又は音声通話を伴う遠隔制御が試みられ、したがって、遠隔制御プログラムが、遠隔制御を試みるに当たり、通話中の相手方の電話番号を抽出する方式を適用することができる。
【００３２】
特に、このように、相手方の電話番号を事前に確定して遠隔制御を試みる方式は、被制御側携帯通信端末１０ｂが制御側携帯通信端末１０ａを能動的かつ明確に指定するので、制御側携帯通信端末１０ａから被制御側携帯通信端末１０ｂに一方的な遠隔制御の受諾要求が送られ、これに対して被制御側携帯通信端末１０ｂによって単純受諾が行われるようにした従来の携帯通信端末１０間の遠隔制御と比べて、保安確保において有利である。
【００３３】
ステップＳ４で、中継サーバ３５が、制御側携帯通信端末１０ａ及び被制御側携帯通信端末１０ｂから連結情報を受信し、制御側携帯通信端末１０ａの遠隔制御プログラムによる連結情報の伝送、及び被制御側携帯通信端末１０ｂの遠隔制御プログラムによる連結情報の伝送が完了すると、ステップＳ５で、中継サーバ３５が、制御側携帯通信端末１０ａ及び被制御側携帯通信端末１０ｂからそれぞれ受信した連結情報を比較し、連結情報が一致する場合に、ステップ６で、制御側携帯通信端末１０ａと被制御側携帯通信端末１０ｂとの間の通信路（ｓｅｓｓｉｏｎ）を開設する。
【００３４】
ここで、連結情報の一致とは、図５に示されるように、制御側携帯通信端末１０ａが中継サーバ３５に伝送した被制御側携帯通信端末１０ｂの電話番号と、被制御側携帯通信端末１０ｂが中継サーバ３５に伝送した自身の電話番号とが一致するとともに、制御側携帯通信端末１０ａが中継サーバ３５に伝送した自身の電話番号と、被制御側携帯通信端末１０ｂが中継サーバ３５に伝送した制御側携帯通信端末１０ａの電話番号とが一致することをいう。
【００３５】
制御側携帯通信端末１０ａと被制御側携帯通信端末１０ｂとの間の通信路が開設されると、ステップＳ７で、被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送することによって、携帯通信端末１０間の遠隔制御が開始される。
【００３６】
すなわち、図５に示されるように、制御側携帯通信端末１０ａに被制御側携帯通信端末１０ｂの画面がそのまま表示され、これを制御側携帯通信端末１０ａの使用者が操作することによって、被制御側携帯通信端末１０ｂが同じ内容で操作される。
【００３７】
一方、制御側携帯通信端末１０ａ及び被制御側携帯通信端末１０ｂからそれぞれ受信した連結情報が一致しない場合、ステップＳ８で、中継サーバ３５は、制御側携帯通信端末１０ａと被制御側携帯通信端末１０ｂとの連結を拒否する。
【００３８】
なお、制御側携帯通信端末１０ａと被制御側携帯通信端末１０ｂとの間の通信路開設及び遠隔制御開始過程において、使用者の意思を確認する手続きを行うことができる。すなわち、図５に示されるように、自身の携帯通信端末１０及び相手方の携帯通信端末１０を表示する表示客体（オブジェクト）１６を、携帯通信端末１０のタッチスクリーン画面上に出力し、これを使用者がドラッグするジェスチャーを行うことによって、制御側携帯通信端末１０ａにおいて遠隔制御の受諾を要請し、被制御側携帯通信端末１０ｂにおいて遠隔制御を受諾する意思を確認することができるように、直観的な使用者インターフェースを具現することもできる。
【００３９】
このように、制御側携帯通信端末１０ａ及び被制御側携帯通信端末１０ｂが、自身及び相手方の電話番号を連結情報として中継サーバ３５に伝送し、中継サーバ３５が、伝送された連結情報を介して、制御側携帯通信端末１０ａと被制御側携帯通信端末１０ｂとの間の通信路を開設するに当たって、電話番号は、携帯通信端末１０に与えられた固有の呼出し番号であり、携帯通信網２１だけでなく、公衆通信網（ＰＳＴＮ）においても、重複しない唯一の番号であるので、通信路の運用上、安定性及び正確性を確保することができる。
【００４０】
ところで、前述されたように、携帯通信端末１０に搭載された遠隔制御プログラムから伝送される連結情報は、自身の携帯通信端末１０の電話番号及び相手方の携帯通信端末１０の電話番号から成るが、遠隔制御プログラムが伝送した連結情報を中継サーバ３５が検証することなく受け入れ、通信路を開設する場合、保安上の弱点が発生し得る。
【００４１】
すなわち、不適格者が、遠隔制御を試みるために、制御側携帯通信端末１０ａの遠隔制御プログラムを操作し、当該制御側携帯通信端末１０ａの実際の自身の電話番号ではなく、被制御側携帯通信端末１０ｂの使用者の家族又は知人等の携帯通信端末１０の電話番号で連結情報を生成した場合、被制御側携帯通信端末１０ｂの使用者が制御側携帯通信端末１０ａを家族又は知人等の携帯通信端末１０と誤認し、遠隔制御を受諾することがあり得る。
【００４２】
そこで、本発明の他の実施の形態においては、携帯通信網２１の発信番号伝送サービスを利用し、中継サーバ３５に伝送された連結情報を更新することによって、前述されたような不適格者による遠隔制御の試みを根本的に遮断可能にした。
【００４３】
この場合も、遠隔制御は、携帯通信網２１の移動局である携帯通信端末１０、発信番号伝送サービスを提供する携帯通信網２１及び無線ＬＡＮ２２等の、携帯通信端末１０が接続可能な無線基盤通信網を網羅する無線網２０、並びに無線網２０と連結された中継サーバ３５によって行われる。
【００４４】
本発明の遠隔制御は、図６に示されるように、制御側携帯通信端末１０ａ及び被制御側携帯通信端末１０ｂにそれぞれ搭載された遠隔制御プログラムが実行されるステップＳ１１から開始される。
【００４５】
以降、ステップＳ１２で、制御側携帯通信端末１０ａの遠隔制御プログラムが、被制御側携帯通信端末１０ｂの電話番号が含まれた連結情報を、携帯通信網２１を介して中継サーバ３５に伝送し、ステップＳ１３で、被制御側携帯通信端末１０ｂの遠隔制御プログラムが、制御側携帯通信端末１０ａの電話番号が含まれた連結情報を、携帯通信網２１を介して中継サーバ３５に伝送する。
【００４６】
続いて、ステップＳ１４で、中継サーバ３５は、制御側携帯通信端末１０ａ及び被制御側携帯通信端末１０ｂから連結情報を受信すると、制御側携帯通信端末１０ａ及び被制御側携帯通信端末１０ｂからそれぞれ受信した連結情報に、携帯通信網２１から伝送された制御側携帯通信端末１０ａ及び被制御側携帯通信端末１０ｂの発信番号をそれぞれ加え、連結情報を更新し、ステップＳ１５で、更新された連結情報を比較し、連結情報が一致する場合に、ステップＳ１６で、制御側携帯通信端末１０ａと被制御側携帯通信端末１０ｂとの間の通信路を開設する。
【００４７】
すなわち、当該携帯通信端末１０の遠隔制御プログラムが、自身の電話番号と相手方の電話番号とが併合されることによって生成された連結情報を中継サーバ３５に伝送し、中継サーバ３５は、これをそのまま受けることなく、携帯通信端末１０から伝送された連結情報に、発信番号伝送サービスを利用して携帯通信網２１から取得した発信番号を加え、連結情報を更新することによって、連結情報内の電話番号が操作される可能性を遮断する。
【００４８】
制御側携帯通信端末１０ａと被制御側携帯通信端末１０ｂとの間の通信路が開設されると、ステップＳ１７で、被制御側携帯通信端末１０ｂの遠隔制御プログラムが画面情報を制御側携帯通信端末１０ａに伝送し、制御側携帯通信端末１０ａの遠隔制御プログラムが制御命令を被制御側携帯通信端末１０ｂに伝送することによって、携帯通信端末１０間の遠隔制御が開始される。
【００４９】
一方、更新された連結情報が比較され、連結情報が一致しない場合、ステップＳ１８で、中継サーバ３５は、制御側携帯通信端末１０ａと被制御側携帯通信端末１０ｂとの連結を拒否する。
【００５０】
このように、携帯通信網２１の発信番号伝送サービスを利用し、制御側携帯通信端末１０ａと被制御側携帯通信端末１０ｂとの間の通信路を開設することによって、悪意のある遠隔制御の試みが効果的に遮断され、携帯通信端末１０間の遠隔制御の安全な遂行が可能となる。
【００５１】
本実施の形態において、中継サーバ３５は、制御側携帯通信端末１０ａ及び被制御側携帯通信端末１０ｂからそれぞれ受信した連結情報に、携帯通信網２１から伝送された制御側携帯通信端末１０ａ及び被制御側携帯通信端末１０ｂの発信番号をそれぞれ加え、連結情報を更新するようになっているが、携帯通信網２１から伝送された制御側携帯通信端末１０ａの発信番号を加えることによって、連結情報を更新することができる。
【００５２】
なお、本発明は前記各実施の形態に限定されるものではなく、本発明の趣旨に基づいて種々変形させることが可能であり、それらを本発明の範囲から排除するものではない。
【符号の説明】
【００５３】
１０    携帯通信端末
１５    アイコン
１６    表示客体
２０    無線網
２１    携帯通信網
２２    無線ＬＡＮ
３０    ゲートウェイサーバ
３１    認証サーバ
３２    認証データベース
３５    中継サーバ
４０    コンピュータ
【図１】
2015115951.tif 000003
【図２】
2015115951.tif 000004
【図３】
2015115951.tif 000005
【図４】
2015115951.tif 000006
【図５】
2015115951.tif 000007
【図６】
2015115951.tif 000008